(57)【要約】      （修正有）【課題】  メール受信側にて動画がスケジュールの設定時間おいて自動再生するスケジュール管理機能付携帯電話システム、スケジュール管理方法、そのプログラム、及び記録媒体を提供する。【解決手段】  受信側携帯電話機は、スケジュールデータを含む無線データを受信する無線部１と、受信したスケジュールデータを登録すると共に、スケジュールデータに含まれるスケジュール日時を設定及び記憶するスケジュール機能部７と、スケジュールデータに動画データの登録があった場合に当該動画データを登録／保存するデータ部８と、受信した無線データにスケジュールデータがあるか否か確認する。スケジュールデータがあった場合、データ部８に保存された動画データを読み出して、記憶されたスケジュール日時のデータに基づいて、動画機能部６／表示部５に対して再生／表示させると共に、日時のデータに基づいてスピーカ９からアラームを報知させる制御部３を有する。【選択図】  図１
2005236425.tif 000002
【特許請求の範囲】
【請求項１】
動画データ及び音声データ含むスケジュールデータを再生／表示する手段を有する受信側携帯電話機に、動画データ及び音声メッセージデータを録音／録画する手段を有する送信側携帯電話機にて送信されたスケジュール日時のデータに基づいて前記録音／録画された動画データ及び音声メッセージデータを再生／表示させるスケジュール管理機能付携帯電話システムにおいて、
前記受信側携帯電話機は、
前記スケジュールデータを含む無線データを受信する無線部と、
前記受信したスケジュールデータを登録すると共に、前記スケジュールデータに含まれるスケジュール日時を設定及び記憶するスケジュール機能部と、
前記スケジュールデータに動画データ及び音声メッセージデータの登録があった場合に当該動画データ及び音声メッセージデータを登録／保存するデータ部と、
前記受信した無線データにスケジュールデータがあるか否か確認し、スケジュールデータがあった場合、前記データ部に保存された動画データ及び音声メッセージデータを読み出して、前記記憶されたスケジュール日時のデータに基づいて、当該読み出された動画データ及び音声メッセージデータを前記再生／表示手段に再生、表示させ、前記日時のデータに基づいてスピーカからアラームを報知させる制御手段
を有することを特徴とするスケジュール管理機能付携帯電話システム。
【請求項２】
前記制御部は、前記無線部で受信したメールにスケジュールデータが添付されていた場合、前記スケジュールデータに動画データが登録されている否かを確認し、
当該スケジュールデータに動画データが登録されている場合は、当該動画データは前記データ部から読み出されて、再生され、
受信したメールにスケジュールデータが添付されていない場合には、スケジュールデータなしの通常のメールとして処理する
ことを特徴とする請求項１記載のスケジュール管理機能付携帯電話システム。
【請求項３】
前記制御部は、前記無線部で受信したメールにスケジュールデータが添付されていた場合、前記スケジュールデータに音声メッセージデータが登録されている否かを確認し、
当該スケジュールデータに音声メッセージデータが登録されている場合であって、前記スケジュールの日時が到来した場合、当該音声メッセージデータを前記データ部から読み出し、その内容を再生する音声読み上げ手段をさらに有する
ことを特徴とする請求項１又は２記載のスケジュール管理機能付携帯電話システム。
【請求項４】
動画データ及び音声データ含むスケジュールデータを再生／表示する機能を有する受信側携帯電話機に、動画データ及び音声メッセージデータを録音／録画する機能を有する送信側携帯電話機にて送信されたスケジュール日時のデータに基づいて前記録音／録画された動画データ及び音声メッセージデータを再生／表示させるスケジュール管理方法において、
前記スケジュールデータを受信するステップと、
前記受信したスケジュールデータを登録すると共に、前記スケジュールデータに含まれるスケジュール日時を設定及び記憶するステップと、
前記スケジュールデータに動画データ及び音声メッセージデータの登録があった場合に当該動画データ及び音声メッセージデータを登録／保存するステップと、
前記受信した無線データにスケジュールデータがあるか否か確認するステップと、
スケジュールデータがあることを確認した場合、前記保存された動画データ及び音声メッセージデータを読み出し、前記読み出された動画データ及び音声メッセージデータを、前記記憶されたスケジュール日時のデータに基づいて、再生／表示するステップと、
前記日時のデータに基づいてスピーカからアラームを報知するステップ
を有することを特徴とするスケジュール管理方法。
【請求項５】
受信されたメールにスケジュールデータが添付されていた場合、前記スケジュールデータに動画データが登録されている否かを確認するステップと、
当該スケジュールデータに動画データが登録されている場合は、当該動画データを読み出して、再生するステップと、
受信したメールにスケジュールデータが添付されていない場合には、スケジュールデータなしの通常のメールとして処理するステップ
をさらに有することを特徴とする請求項４記載のスケジュール管理方法。
【請求項６】
受信したメールにスケジュールデータが添付されていた場合、前記スケジュールデータに音声メッセージデータが登録されている否かを確認するステップと、
当該スケジュールデータに音声メッセージデータが登録されている場合であって、前記スケジュールの日時が到来した場合、当該音声メッセージデータを前記データ部から読み出し、その内容を再生するステップとを
さらに有することを特徴とする請求項４又は５記載のスケジュール管理方法。
【請求項７】
動画データ及び音声データ含むスケジュールデータを再生／表示する機能を有する受信側携帯電話機に、動画データ及び音声メッセージデータを録音／録画する機能を有する送信側携帯電話機にて送信されたスケジュール日時のデータに基づいて前記録音／録画された動画データ及び音声メッセージデータを再生／表示させる処理をコンピュータに実行させるためのプログラムであって、さらに、
前記スケジュールデータを受信するステップと、
前記受信したスケジュールデータを登録すると共に、前記スケジュールデータに含まれるスケジュール日時を設定及び記憶するステップと、
前記スケジュールデータに動画データ／音声メッセージデータの登録があった場合に当該動画データ／音声メッセージデータを登録／保存するステップと、
前記受信した無線データにスケジュールデータがあるか否か確認するステップと、
スケジュールデータがあることを確認した場合、前記保存された動画データ及び音声メッセージデータを読み出し、前記記憶されたスケジュール日時のデータに基づいて、前記読み出された動画データ及び音声メッセージデータを再生／表示すると共に、前記日時のデータに基づいてスピーカからアラームを報知するステップ
を前記コンピュータに実行させることを特徴とするプログラム。
【請求項８】
受信されたメールにスケジュールデータが添付されていた場合、前記スケジュールデータに動画データが登録されている否かを確認するステップと、
当該スケジュールデータに動画データが登録されている場合は、当該動画データを読み出して、再生するステップと、
受信したメールにスケジュールデータが添付されていない場合には、スケジュールデータなしの通常のメールとして処理するステップ
をさらに前記コンピュータに実行させることを特徴とする請求項７記載のプログラム。
【請求項９】
受信したメールにスケジュールデータが添付されていた場合、前記スケジュールデータに音声メッセージデータが登録されている否かを確認するステップと、
当該スケジュールデータに音声メッセージデータが登録されている場合であって、前記スケジュールの日時が到来した場合、当該音声メッセージデータを前記データ部から読み出し、その内容を再生するステップ
をさらに前記コンピュータに実行させることを特徴とする請求項７又は８記載のプログラム。
【請求項１０】
請求項７〜９のいずれかに記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む）。
【発明の詳細な説明】
【技術分野】
【０００１】
本発明は、スケジュール管理機能付携帯電話システム、スケジュール管理方法、そのプログラム、及び記録媒体に関する。
【背景技術】
【０００２】
以下、メール送信側からメール受信側へスケジュール情報を受信する機能を有する携帯電話における背景技術について説明する。
【０００３】
たとえば以下の特許文献1には使用者が発声するスケジュール情報を入力するマイクロフォンと、入力したスケジュール情報からスケジュールの日時を識別する音声認識装置と、音声認識装置にて認識した日時を設定及び記憶するタイマー記憶手段と、音声にて入力されたスケジュール内容を記録する音声記録装置と、タイマー記憶手段に設定した日時が到来した際に、音声記録装置に記録したスケジュール内容を呼び出す制御手段と、呼び出された音声データを出力するスピーカとを備えた電話装置が開示されている。
【０００４】
上記構成により使用者が発声するスケジュール情報のうち、日時のみを音声認識させることで、文字列の情報量を削減することが可能としている。
【特許文献１】特開２０００−１３４７６号公報
【発明の開示】
【発明が解決しようとする課題】
【０００５】
しかしながら、上記従来技術ではメール送信側からメール受信側へ音声による日時に関するスケジュール情報のみ受信側に伝えるだけであるので、日時以外の情報は依然として文字入力しなければならず、伝えたい側もスケジュールの重要度を手間をかけ文字入力にて文章しなければならなかった。
【０００６】
本発明の目的は、メール送信側からメール受信側に動画データ及び音声データをスケジュールデータとして自動登録させることによって、相手に確実にスケジュールを伝えることができ、登録忘れを防ぐことができるスケジュール管理機能付携帯電話システム、スケジュール管理方法、そのプログラム、及び記録媒体を提供することである。
【課題を解決するための手段】
【０００７】
かかる目的を達成するため、請求項１記載の発明は、動画データ及び音声データ含むスケジュールデータを再生／表示する手段を有する受信側携帯電話機に、動画データ及び音声メッセージデータを録音／録画する手段を有する送信側携帯電話機にて送信されたスケジュール日時のデータに基づいて前記録音／録画された動画データ及び音声メッセージデータを再生／表示させるスケジュール管理機能付携帯電話システムであって、前記受信側携帯電話機が、前記スケジュールデータを含む無線データを受信する無線部と、前記受信したスケジュールデータを登録すると共に、前記スケジュールデータに含まれるスケジュール日時を設定及び記憶するスケジュール機能部と、前記スケジュールデータに動画データ及び音声メッセージデータの登録があった場合に当該動画データ及び音声メッセージデータを登録／保存するデータ部と、前記受信した無線データにスケジュールデータがあるか否か確認し、スケジュールデータがあった場合、前記データ部に保存された動画データ及び音声メッセージデータを読み出して、前記記憶されたスケジュール日時のデータに基づいて、当該読み出された動画データ及び音声メッセージデータを前記再生／表示手段に再生、表示させ、前記日時のデータに基づいてスピーカからアラームを報知させる制御手段を有することを特徴とする。
【０００８】
さらに、請求項２に係る発明は、前記制御部が、前記無線部で受信したメールにスケジュールデータが添付されていた場合、前記スケジュールデータに動画データが登録されている否かを確認し、当該スケジュールデータに動画データが登録されている場合は、当該動画データは前記データ部から読み出されて、再生され、受信したメールにスケジュールデータが添付されていない場合には、スケジュールデータなしの通常のメールとして処理することを特徴とする。
【０００９】
さらに、請求項３に係る発明は、前記制御部が、前記無線部で受信したメールにスケジュールデータが添付されていた場合、前記スケジュールデータに音声メッセージデータが登録されている否かを確認し、当該スケジュールデータに音声メッセージデータが登録されている場合であって、前記スケジュールの日時が到来した場合、当該音声メッセージデータを前記データ部から読み出し、その内容を再生する音声読み上げ手段をさらに有することを特徴とする。
【００１０】
また、請求項４に係る発明は、動画データ及び音声データ含むスケジュールデータを再生／表示する機能を有する受信側携帯電話機に、動画データ及び音声メッセージデータを録音／録画する機能を有する送信側携帯電話機にて送信されたスケジュール日時のデータに基づいて前記録音／録画された動画データ及び音声メッセージデータを再生／表示させるスケジュール管理方法であって、前記スケジュールデータを受信するステップと、前記受信したスケジュールデータを登録すると共に、前記スケジュールデータに含まれるスケジュール日時を設定及び記憶するステップと、前記スケジュールデータに動画データ及び音声メッセージデータの登録があった場合に当該動画データ及び音声メッセージデータを登録／保存するステップと、前記受信した無線データにスケジュールデータがあるか否か確認するステップと、スケジュールデータがあることを確認した場合、前記保存された動画データ及び音声メッセージデータを読み出し、前記読み出された動画データ及び音声メッセージデータを、前記記憶されたスケジュール日時のデータに基づいて、再生／表示するステップと、前記日時のデータに基づいてスピーカからアラームを報知するステップを有することを特徴とするスケジュール管理方法。
【００１１】
さらに、請求項５に係る発明は、受信されたメールにスケジュールデータが添付されていた場合、前記スケジュールデータに動画データが登録されている否かを確認するステップと、当該スケジュールデータに動画データが登録されている場合は、当該動画データを読み出して、再生するステップと、受信したメールにスケジュールデータが添付されていない場合には、スケジュールデータなしの通常のメールとして処理するステップをさらに有することを特徴とする。
【００１２】
さらに、請求項６に係る発明は、受信したメールにスケジュールデータが添付されていた場合、前記スケジュールデータに音声メッセージデータが登録されている否かを確認するステップと、当該スケジュールデータに音声メッセージデータが登録されている場合であって、前記スケジュールの日時が到来した場合、当該音声メッセージデータを前記データ部から読み出し、その内容を再生するステップとを有することを特徴とする。
【００１３】
また、請求項７に係る発明は、動画データ及び音声データ含むスケジュールデータを再生／表示する機能を有する受信側携帯電話機に、動画データ及び音声メッセージデータを録音／録画する機能を有する送信側携帯電話機にて送信されたスケジュール日時のデータに基づいて前記録音／録画された動画データ及び音声メッセージデータを再生／表示させる処理をコンピュータに実行させるためのプログラムであって、さらに、前記スケジュールデータを受信するステップと、前記受信したスケジュールデータを登録すると共に、前記スケジュールデータに含まれるスケジュール日時を設定及び記憶するステップと、前記スケジュールデータに動画データ／音声メッセージデータの登録があった場合に当該動画データ／音声メッセージデータを登録／保存するステップと、前記受信した無線データにスケジュールデータがあるか否か確認するステップと、スケジュールデータがあることを確認した場合、前記保存された動画データ及び音声メッセージデータを読み出し、前記記憶されたスケジュール日時のデータに基づいて、前記読み出された動画データ及び音声メッセージデータを再生／表示すると共に、前記日時のデータに基づいてスピーカからアラームを報知するステップを前記コンピュータに実行させることを特徴とする。
【００１４】
さらに、請求項８に係る発明は、受信されたメールにスケジュールデータが添付されていた場合、前記スケジュールデータに動画データが登録されている否かを確認するステップと、当該スケジュールデータに動画データが登録されている場合は、当該動画データを読み出して、再生するステップと、受信したメールにスケジュールデータが添付されていない場合には、スケジュールデータなしの通常のメールとして処理するステップをさらに前記コンピュータに実行させることを特徴とする。
【００１５】
さらに、請求項９に係る発明は、受信したメールにスケジュールデータが添付されていた場合、前記スケジュールデータに音声メッセージデータが登録されている否かを確認するステップと、当該スケジュールデータに音声メッセージデータが登録されている場合であって、前記スケジュールの日時が到来した場合、当該音声メッセージデータを前記データ部から読み出し、その内容を再生するステップとをさらに前記コンピュータに実行させることを特徴とする。
【００１６】
また、請求項１０に係る発明は、上記いずれかに記載のプログラムをコンピュータ読取可能な情報記録媒体（コンパクトディスク、フレキシブルディスク、ハードディスク、光磁気ディスク、ディジタルビデオディスク、磁気テープ、または、半導体メモリを含む。）に記録したことを特徴とする。
【発明の効果】
【００１７】
本発明によれば、メール受信側のスケジュールに自動登録することによって、確実にスケジュール内容を伝え、登録忘れを防ぐことができると共に、スケジュール機能に操作部よりスケジュール内容を入力し、登録する手間を省くことができる。
【００１８】
又、本発明によれば、動画データをスケジュールとして登録することにより、スケジュール内容を画像と音声にて伝えることで、伝えたい側（スケジュール情報送信者）もスケジュールの重要度を手間をかけ文字入力にて文章を作成することをせず、動画撮影をするだけでよい。
【発明を実施するための最良の形態】
【００１９】
以下、本発明を好適に実施した形態について図面を用いて詳細に説明する。図１は本発明に係るスケジュール管理機能付携帯電話システムにおける動画自動再生およびスケジュール送信機能付き携帯電話の構成を示した図である。
【００２０】
無線部１にてアンテナから入ってきた無線データを受信する。受信したデータにスケジュールデータがあるか否か確認し、スケジュールデータがあった場合には当該データをスケジュール機能部７に登録する。スケジュールデータに動画データの登録があった場合はデータ部８にその動画データを登録する。
【００２１】
尚、動画データは携帯電話機に設けられている動画記録手段を用いて録画されたもののほか、記録メディア（メモリーカード）に別の機器（ビデオカメラ、パーソナルコンピュータ等）を用いて記録されたものでもよい。この場合には携帯電話機のメモリーカードスロットに当該記録メディアを挿入して読み出す。
【００２２】
スケジュールに登録されている時間になった場合は制御部３でスピーカー９よりアラームを鳴らしてユーザーに知らせ、ユーザーが操作部４にてボタンを押下したら制御部３にてそれを感知し、アラームを止めて、スケジュールの内容を表示部５に表示させる。
【００２３】
スケジュールに動画データが登録されていた場合は、動画機能部６でデータ部８から動画データを参照し、動画を再生させる。
【００２４】
以下、本実施の形態の動作について説明する。まず、メール作成時における動作を説明する。図２はメール送信側における携帯電話機の動作を説明するためのフロー図である。
【００２５】
最初に、操作部４からスケジュール機能部7を起動させ、スケジュール機能画面にて所望のスケジュールの時間を入力する。スケジュール機能部7は、所望のスケジュールの時間を設定し、その設定時刻に起動させる動画データをスケジュールデータに登録する(ステップＳ１)。
【００２６】
前記スケジュールデータと当該スケジュールデータに登録された動画データをメールに添付し(ステップＳ２)、相手側携帯電話機に送信する(ステップＳ３)。
【００２７】
次に上記したスケジュールデ−タを受信する側の携帯電話機の動作について図３を参照して説明する。図３はメール受信側における携帯電話機の動作を説明するためのフロー図である。
【００２８】
メール受信側における携帯電話機において、メールにてスケジュールデータを受信すると(ステップＡ１)、制御部３はスケジュールデータが添付されているか否か確認する(ステップＡ２)と共に、当該スケジュールデータに動画データが登録されている否かを確認する(ステップＡ３)。受信したメールにスケジュールデータが添付されていた場合、スケジュール機能部7は当該スケジュールデータを登録する(ステップＡ５)。
【００２９】
受信したメールにスケジュールデータが添付されていない場合には、スケジュールデータなしの通常のメールとして処理される(ステップＡ６)。
【００３０】
スケジュールデータに動画データが登録されていた場合は、当該動画データは制御部３を介してデータ部８に保存される(ステップＡ４)。
【００３１】
制御部３は、受信したスケジュールデータに設定されているスケジュール日時を確認し(ステップＡ７)、当該スケジュール日時が到来すると自動的にアラームを鳴らしてユーザーに報知する(ステップＡ８)。
【００３２】
ユーザーが当該アラームに気づき、操作部４にてボタンを押下した場合には、制御部３がアラームを感知し(ステップＡ９)、アラームを止める(ステップＡ１０)。
【００３３】
制御部３は、次に、受信したスケジュールデータに動画データが関連付けられているかを確認する(ステップＡ１１)。当該スケジュールデータに動画データが関連付けられている場合は、当該動画データは、制御部３を介してデータ部８より読み出される。読み出された動画データは、制御部３を介して動画機能部6に再生される(ステップＡ１３)。
【００３４】
スケジュールに動画データが登録されていない場合はスケジュール情報を表示部５に表示させる(ステップＡ１２)。
【００３５】
以下、本発明の他の実施の形態について説明する。この実施の形態は、上記した方法が、送信側でスケジュールデータを動画データとして登録し、受信側で当該動画データを再生させるという方法であるのに対して、スケジュールデータにテキストを登録し、当該スケジュールデータで送信者があらかじめ設定したスケジュール設定時間になったら、送信側携帯電話機で録音された音声メッセージデータを受信して一旦記憶させ、その記憶された音声メッセージデータを読み出して、その読み出された音声メッセージデータを再生してスピーカーから出力させるという方法である。すなわち、音声読み上げ機能を有する手段を設け、当該機能を用いて送信側で音声録音したスケジュール内容を受信側で再生するという方法である。
【００３６】
具体的には、送信側のユーザーがマイクロフォンを介して音声にてスケジュールデータを音声メッセージデータとして音声記録装置に記録し、受信側のユーザーの携帯電話機に当該スケジュールデータが受信された場合、あらかじめ設定した日時が到来したときに前記音声メッセージデータを読み出して、再生するという方法である。
【００３７】
もちろん、送信側でスケジュールデータを動画データとして登録し、受信側で当該動画データを再生させるという方法と、当該機能を用いて送信側で音声録音したスケジュール内容を受信側で再生するという方法を組み合わせたスケジュール管理方法でもよい。この場合には音声と動画の両方のメリットを共有できる。
【図面の簡単な説明】
【００３８】
【図１】本発明に係るスケジュール管理機能付携帯電話システムにおける動画自動再生およびスケジュール送信機能付き携帯電話の構成を示した図である。
【図２】メール送信側における携帯電話機の動作を説明するためのフロー図である。
【図３】メール受信側における携帯電話機の動作を説明するためのフロー図である。
【符号の説明】
【００３９】
１    無線部
２    電池部
３    制御部
４    操作部
５    表示部
６    動画機能部
７    スケジュール機能部
８    データ部
９    スピーカー
【図１】
2005236425.tif 000003
【図２】
2005236425.tif 000004
【図３】
2005236425.tif 000005